(57)【要約】【課題】  既存の注射器に注射針を経由しない別途の吸引流路を形成し、薬液の吸引をさらに円滑に行うことにより、ユーザの使い勝手及び製品の商品性を極大化させ、注射時は、このような吸引流路を強制に閉鎖させること。【解決手段】  注射針１０とシリンダー２０を備え、シリンダー２０から注射針１０に至る注射流路が形成された注射器において、注射流路を選択的に密閉させる開閉手段４００と、注射針１０、注射針１０をシリンダー２０に連結するためのコネクター、及び、シリンダー２０のいずれか一つの内外を連通させる貫通孔２００を有し、尖端を有する中空のキャップ１００からシリンダー２０に至って形成される吸引流路と、ユーザの操作により、吸引流路の開閉を断続する弁手段３００と、をさらに含むことを特徴とする。【選択図】      図２
2019503243.tif 000002
【特許請求の範囲】
【請求項１】
注射針とシリンダーを備え、前記シリンダーから前記注射針に至る注射流路が形成された注射器において、
前記注射流路を選択的に密閉させる開閉手段と、
前記注射針、該注射針を前記シリンダーに連結するためのコネクター、及び、前記シリンダーのいずれか一つの内外を連通させる貫通孔を有し、尖端を有する中空のキャップから前記シリンダーに至って形成される吸引流路と、
ユーザの操作により、前記吸引流路の開閉を断続する弁手段と、をさらに含むことを特徴とする注射器。
【請求項２】
前記弁手段は、前記吸引流路を横切って所定の深さで挿入されているが、前記吸引流路に対応して整列される通孔が形成されたピンからなり、前記吸引流路の開放状態を維持し、外部に突出したピンの端部を押圧することにより、前記通孔が前記吸引流路から、深さの差により外れ、前記吸引流路を閉鎖状態に切り替えさせることを特徴とする請求項１に記載の注射器。
【請求項３】
前記弁手段は、前記吸引流路を横切って位置するが、前記吸引流路に対応して整列される通孔が形成された回転ピンからなり、前記吸引流路の開放状態を維持し、外部に突出した回転ピンの端部に形成された回転レバーを回転させることにより、前記通孔が前記吸引流路から、方向の差により、前記吸引流路を閉鎖状態に切り替えさせることを特徴とする請求項１に記載の注射器。
【請求項４】
前記弁手段は、前記貫通孔が形成された中空の内部体と、該内部体の外径に対応する内径を有するパイプ状の外部体とからなり、該内部体の貫通孔から該外部体が離隔した状態で、前記吸引流路の開放状態を維持し、該内部体と該外部体の相対的な軸方向移動により、該外部体の内周面が、該内部体に形成された前記貫通孔を閉鎖させ、前記吸引流路を閉鎖状態に切り替えさせることを特徴とする請求項１に記載の注射器。
【請求項５】
前記内部体と前記外部体は、該内部体の外周面と該外部体の内周面との間の締まりばめにより、前記吸引流路の閉鎖状態が維持されることを特徴とする請求項４に記載の注射器。
【請求項６】
前記内部体と前記外部体は、相互間に形成された一方向の係止突起の弾力的な結合により、前記吸引流路の閉鎖状態が維持されることを特徴とする請求項４に記載の注射器。
【請求項７】
前記内部体と前記外部体は、一方向回転により、相互間に形成されたねじ山の締付けによって前記吸引流路の閉鎖状態が維持され、逆方向回転により、前記吸引流路を再び開放状態に切替え可能であることを特徴とする請求項４に記載の注射器。
【請求項８】
前記キャップは、前記開閉手段を収容し、該開閉手段の外周と該キャップの内周との間の空間に吸引流路の一部が形成され、
前記注射針とハブを互いに固定させる接着材料は、前記開閉手段内に収容され、薬液から隔離され、
前記吸引流路には、薬液から異物をろ過するためのフィルターがさらに設けられることを特徴とする請求項２乃至４のいずれか一項に記載の注射器。
【請求項９】
前記開閉手段は、前記ハブに締まりばめされ、またはねじ山により締め付けられることを特徴とする請求項８に記載の注射器。
【請求項１０】
前記開閉手段の内周面には傾斜面が形成され、前記注射針の進入を誘導することを特徴とする請求項８に記載の注射器。
【発明の詳細な説明】
【技術分野】
【０００１】
本発明は、注射器に関し、特に、従来、注射針を含む注射流路が形成された注射器において、注射針を除いた注射流路の一部を共有し、または注射流路とは完全に独立した吸引流路を形成し、薬液の吸引をさらに円滑にするための装置であって、既存の注射器に注射針を経由しない別途の吸引流路を形成し、薬液の吸引をさらに円滑に行うことにより、ユーザの使い勝手及び製品の商品性を高めることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダー２０と、前記シリンダー２０内において前進及び後退可能に設けられるプランジャー３０と、で構成される。
【０００４】
この種の注射器は、プランジャー３０の後退により、シリンダー２０内に負圧が発生しながら薬液が充填され、プランジャー３０の前進により、正圧となり、シリンダー２０内の薬液が注射針１０から排出されながら患者の体内に注射されるものである。
【０００５】
しかしながら、この種の注射器の使用時は、注射針１０の直径が極めて細いと、ユーザが薬液の吸引のためにプランジャー３０を後退させても、シリンダー２０の内部は、負圧により真空状態となるだけで、薬液の吸引が円滑ではなかった。
【０００６】
このような現象は、薬液からアンプルのガラス片などの異物をろ過するためのフィルターが設けられると、さらに酷くなってしまう傾向にあった。
【０００７】
これにより、薬液の吸引に大きな力や長時間が要求されるので、ユーザに不便を与え、しかも、薬液の吸引が完了していないうちに、ユーザがプランジャー３０を放すると、薬液がシリンダー２０内に吸引されなかった状態で、シリンダー２０の内部に形成された負圧により、かえってプランジャー３０が自ら前進してしまうという問題点があった。
【発明の概要】
【発明が解決しようとする課題】
【０００８】
本発明は、上記問題点に鑑みなされたものであり、既存の注射器に注射針を経由しない別途の吸引流路を形成し、薬液の吸引をさらに円滑に行うことにより、ユーザの使い勝手及び製品の商品性を極大化させ、注射時は、ユーザの操作により、このような吸引流路を強制に閉鎖させるようにする注射器を提供することを目的とする。
【課題を解決するための手段】
【０００９】
上記目的を達成するために、本発明に係る注射器は、注射針とシリンダーを備え、前記シリンダーから前記注射針に至る注射流路が形成された注射器において、前記注射流路を選択的に密閉させる開閉手段と、前記注射針、該注射針を前記シリンダーに連結するためのコネクター、及び、該シリンダーのいずれか一つの内外を連通させる貫通孔を有し、尖端を有する中空のキャップから前記シリンダーに至って形成される吸引流路と、ユーザの操作により、前記吸引流路の開閉を断続する弁手段と、をさらに含むことを特徴とする。
【００１０】
ここで、前記弁手段は、前記吸引流路を横切って所定の深さで挿入されているが、前記吸引流路に対応して整列される通孔が形成されたピンからなり、前記吸引流路の開放状態を維持し、外部に突出したピンの端部を押圧することにより、前記通孔が前記吸引流路から、深さの差により外れ、前記吸引流路を閉鎖状態に切り替えさせてもよい。
【００１１】
これと同様に、前記弁手段は、前記吸引流路を横切って位置するが、前記吸引流路に対応して整列される通孔が形成された回転ピンからなり、前記吸引流路の開放状態を維持し、外部に突出した回転ピンの端部に形成された回転レバーを回転させることにより、前記通孔が前記吸引流路から、方向の差により、前記吸引流路を閉鎖状態に切り替えさせてもよい。
【００１２】
これとは異なり、前記弁手段は、前記貫通孔が形成された中空の内部体と、前記内部体の外径に対応する内径を有するパイプ状の外部体とからなり、前記内部体の貫通孔から前記外部体が離隔した状態で、前記吸引流路の開放状態を維持し、前記内部体と前記外部体の相対的な軸方向移動により、前記外部体の内周面が、前記内部体に形成された前記貫通孔を閉鎖させ、前記吸引流路を閉鎖状態に切り替えさせてもよい。
【００１３】
これとともに、前記内部体と前記外部体は、前記内部体の外周面と前記外部体の内周面との間の締まりばめにより、前記吸引流路の閉鎖状態が維持されてもよい。
【００１４】
これと同様に、前記内部体と前記外部体は、相互間に形成された一方向傾斜突起の弾性的な結合により、前記吸引流路の閉鎖状態が維持されてもよい。
【００１５】
また、前記内部体と前記外部体は、一方向回転により、相互間に形成されたねじ山の締付けによって前記吸引流路の閉鎖状態が維持され、逆方向回転により、前記吸引流路を再び開放状態に切替え可能であることが最も好ましい。
【００１６】
このとき、前記キャップは、前記開閉手段を収容し、前記開閉手段の外周と前記キャップの内周との間の空間に吸引流路の一部が形成され、前記注射針の針とハブを互いに固定させる接着材料は、前記開閉手段内に収容され、薬液から隔離され、前記吸引流路には、薬液から異物をろ過するためのフィルターがさらに設けられることが好ましい。
【００１７】
これとともに、前記開閉手段は、前記ハブに締まりばめされ、またはねじ山により締め付けられることが好ましい。
【００１８】
また、前記開閉手段の内周面には傾斜面が形成され、前記注射針の進入を誘導することが好ましい。
【発明の効果】
【００１９】
本発明によれば、既存の注射器に注射針を経由しない別途の吸引流路を形成し、薬液の吸引をさらに円滑に行うことにより、ユーザの使い勝手及び製品の商品性を極大化させ、注射時は、このような吸引流路を強制に閉鎖させることができる。
【図面の簡単な説明】
【００２０】
【図１】一般の注射器を示す分解斜視図である。
【図２】本発明に係る注射器の実施例１における弁手段の開放状態を示す断面図である。
【図３】本発明に係る注射器の実施例１における弁手段の閉鎖状態を示す断面図である。
【図４】本発明に係る注射器における開閉手段を示す斜視図である。
【図５】本発明に係る注射器の実施例２における弁手段の開放状態を示す断面図である。
【図６】本発明に係る注射器の実施例２における弁手段の閉鎖状態を示す断面図である。
【図７】本発明に係る注射器の実施例３における薬液の吸引状態を示す断面図である。
【図８】本発明に係る注射器の実施例３におけるキャップの分離状態を示す断面図である。
【図９】本発明に係る注射器の実施例３における弁手段の閉鎖状態を示す断面図である。
【図１０】本発明に係る注射器の実施例３の変形例を示す断面図である。
【図１１】本発明に係る注射器の実施例４の要部を示す断面図である。
【図１２】本発明に係る注射器における開閉手段の他の例を示す図である。
【発明を実施するための形態】
【００２１】
図２は、本発明に係る注射器の実施例１における弁手段の開放状態を示す断面図であり、図３は、本発明に係る注射器の実施例１における弁手段の閉鎖状態を示す断面図であり、図４は、本発明に係る注射器における開閉手段を示す斜視図である。
【００２２】
また、図５は、本発明に係る注射器の実施例２における弁手段の開放状態を示す断面図であり、図６は、本発明に係る注射器の実施例２における弁手段の閉鎖状態を示す断面図である。
【００２３】
また、図７は、本発明に係る注射器の実施例３における薬液の吸引状態を示す断面図であり、図８は、本発明に係る注射器の実施例３におけるキャップの分離状態を示す断面図であり、図９は、本発明に係る注射器の実施例３における弁手段の閉鎖状態を示す断面図である。
【００２４】
最後に、図１０は、本発明に係る注射器の実施例３の変形例を示す断面図であり、図１１は、本発明に係る注射器の実施例４の要部を示す断面図であり、図１２は、本発明に係る注射器における開閉手段の他の例を示す図である。
【００２５】
以下、添付図面を参照して、本発明の実施例について詳述する。
【００２６】
本発明に係る注射器は、図２乃至図１２に示すように、既存の注射器に注射針を経由しない別途の吸引流路を形成し、薬液の吸引をさらに小さな力で円滑に行うことにより、ユーザの使い勝手及び製品の商品性を高めることができ、特に、注射時は、このような吸引流路を強制に閉鎖させることができることを、その技術上の基本特徴とする。
【００２７】
本発明に係る注射器は、注射針１０とシリンダー２０を備え、前記シリンダー２０から前記注射針１０に至る注射流路が形成された注射器において、前記注射流路を選択的に密閉させる開閉手段４００と、前記注射針１０、該注射針１０を前記シリンダー２０に連結するためのコネクター、及び、前記シリンダー２０のいずれか一つの内外を連通させる貫通孔２００を有し、尖端を有する中空のキャップ１００から前記シリンダー２０に至って形成される吸引流路と、ユーザの操作により、前記吸引流路の開閉を断続する弁手段３００と、をさらに含むことが好ましい。
【００２８】
すなわち、本発明は、細い注射針１０からのみ薬液がシリンダー２０に吸引されることにより、薬液を吸引するのに長時間が要求され、または大きな力が要求されることを改善したものであって、薬液の吸引時、一時的に注射針１０を閉鎖させる開閉手段４００をさらに構成するとともに、注射流路上の注射針１０を経由せず、薬液を吸引することができる吸引流路を形成することにより、薬液の吸引を一層速くて且つさらに小さな力で容易に行うことができる。
【００２９】
これとともに、本発明は、弁手段３００の閉鎖をさらに確実にする一方で、開閉手段４００が予期せずにハブ１２から分離されることを防止するとともに、注射針１０がさらに容易に開閉手段４００と結合可能にするものである。
【００３０】
このため、本発明においては、薬液の吸引時、吸引流路上に設けられた貫通孔２００が弁手段３００により開放され、薬液が注射針１０を経ずに注射器のシリンダー２０の内部に容易に吸引され、その間、開閉手段４００が注射針１０を閉鎖している。
【００３１】
反対に、薬液の注射時は、弁手段３００により貫通孔２００が閉鎖され、吸引流路は遮断されるのに対して、ユーザが開閉手段４００を除去することにより、注射針１０が開放されながら薬液の注射が行われる。
【００３２】
このとき、前記弁手段３００は、実施形態によって、初期に開放していた状態から、単にユーザのプッシュ操作または回転操作により、閉鎖状態に切り替えられる。
【００３３】
上述のような本発明に係る注射器を具現するのには、開放型または閉鎖型の吸引流路であるか否かと、ユーザの弁手段３００の操作がプッシュ操作の形態であるか、あるいは回転操作の形態であるかにより、下記の４つの例が挙げられ、以下、これらを実施例１乃至実施例４に分けて説明する。
【００３４】
実施例１：閉鎖型の吸引流路に対して、ユーザのプッシュ操作により弁手段３００が吸引流路を閉鎖させる例
実施例２：閉鎖型の吸引流路に対して、ユーザの回転操作により弁手段３００が吸引流路を閉鎖させる例
実施例３：開放型の吸引流路に対して、ユーザのプッシュ操作により弁手段３００が吸引流路を閉鎖させる例
実施例４：開放型の吸引流路に対して、ユーザの回転操作により弁手段３００が吸引流路を閉鎖させる例
ここで、開放型の吸引流路と閉鎖型の吸引流路について説明すると、以下の通りである。
【００３５】
先ず、吸引流路は、キャップ１００の吸引針１１０→キャップ１００のキャップハブ１２０→弁手段３００→注射針１０のハブ１２→シリンダー２０からなる。
【００３６】
このとき、吸引流路のうち、前記弁手段３００が位置する地点が、単にキャップ１００の内周面とハブ１２の外周面との間に形成される開放した空間であれば、以下において、これを開放型の吸引流路といい、吸引流路のうち、前記弁手段３００が位置する地点が、キャップ１００のキャップハブ１２０の内部に形成された密閉した管路であれば、以下において、これを閉鎖型の吸引流路ということにする。
【００３７】
以下、各実施例について詳述する。
【実施例１】
【００３８】
実施例１は、閉鎖型の吸引流路に対して、ユーザのプッシュ操作により弁手段３００が吸引流路を閉鎖させる例である。
【００３９】
本発明の実施例１において、前記弁手段３００は、図２及び図３に示すように、前記吸引流路を横切って所定の深さで挿入されているが、前記吸引流路に対応して整列される通孔３１１が形成されたピン３１０からなり、前記吸引流路の開放状態を維持し、外部に突出したピン３１０の端部を押圧することにより、前記通孔３１１が前記吸引流路から、深さの差により外れ、前記吸引流路を閉鎖状態に切り替えさせる。
【００４０】
このとき、キャップ１００は、薬液溶器から薬液を吸引するためのものであって、吸引針１１０及びキャップハブ１２０で構成され、前記吸引針１１０の先端は、バイアル等を突き通すように傾斜して尖端を有し、金属材または合成樹脂材からなり、高い剛性を有する。
【００４１】
また、キャップハブ１２０は、このような吸引針１１０を支持するように一体で結合されたものであって、キャップハブ１２０の内周面は、注射針１０の針１１を支持するハブ１２の外周面と結合する。
【００４２】
ここで、前記注射針１０の針１１とハブ１２は、エポキシのような接着材料１３で互いに固定されており、このとき、前記ハブ１２が注射器のシリンダー２０に、通常、締まりばめにより、気密を維持して組み立てられる。
【００４３】
これとともに、前記注射針１０の針１１は、薬液の吸引時、開閉手段４００により閉鎖されていたが、薬液の注射時は、ユーザが、前記開閉手段４００を分離させて針１１を開放させるようになる。
【００４４】
特に、本発明において、前記開閉手段４００が、図４に示すように、気密空間４１０及びフランジ４２０を有してもよい。
【００４５】
すなわち、前記開閉手段４００は、薬液の吸引時、注射針１０の針１１を閉鎖させ、薬液の注射時、注射針１０の針１１を開放させる機能をするものであって、本発明では、前記開閉手段４００が前記注射針１０のハブ１２に結合可能であることが好ましい。
【００４６】
このため、前記開閉手段４００の下部には、気密空間４１０が形成され、この気密空間４１０が前記注射針１０のハブ１２を取り囲んで結合することになる。
【００４７】
特に、本発明では、前記注射針１０の針１１とハブ１２を互いに固定させる接着材料１３は、注射針１０を取り囲んで気密を維持する開閉手段４００の気密空間４１０内に収容され、薬液から隔離されることが好ましい。
【００４８】
これにより、接着材料１３が薬液と接触して、接着材料１３の接着力を低下させ、または接着材料１３により薬液の成分が変質することが防がれる。
【００４９】
これとともに、前記開閉手段４００に設けられるフランジ４２０は、必要に応じて、前記開閉手段４００をキャップハブ１２０の内周面に固定させることを可能にする。
【００５０】
図３には、前記開閉手段４００がキャップ１００の内部に固設され、前記キャップ１００の分離により、開閉手段４００を一緒に分離させることにより、注射針１０を開放させる例が示されている。
【００５１】
このとき、吸引流路の一部として、前記キャップ１００の内部に閉鎖型管路である貫通孔２００が形成されており、前記貫通孔２００を横切って所定の深さでピン３１０が挿入されている。
【００５２】
このようなピン３１０は、円形断面よりも、回転が防止されるように、多角形の断面を有することが好ましく、このピン３１０には、前記吸引流路に対応して整列される通孔３１１が形成されている。
【００５３】
その結果、前記ピン３１０の通孔３１１が、吸引流路と同一の深さに位置する場合、前記吸引流路が開放した状態に維持される。
【００５４】
これは、本発明の注射器を製造するとき、図２のように、前記吸引流路が開放した状態で組み立てられることである。
【００５５】
しかし、ユーザが、外部に突出したピン３１０の端部を押圧することにより、前記ピン３１０が挿入されると、図３に示すように、前記ピン３１０の通孔３１１が、前記吸引流路から深く位置することになり、このような深さの差により、通孔３１１が吸引流路から外れ、前記吸引流路を閉鎖状態に切り替えさせる。
【００５６】
その結果、初期に吸引流路を開放した状態に維持していた弁手段３００は、ユーザのプッシュ操作により、前記吸引流路を閉鎖状態に切り替えることができる。
【００５７】
このため、前記ハブ１２には、前記ピン３１０がさらに挿入可能な空間１２ａがさらに形成されている。
【００５８】
これにより、薬液を体内に注射しようとするとき、キャップ１００を分離させてから、ピン３１０を押すと、注射流路は、図３に示すように、シリンダー２０→注射針１０のハブ１２→注射針１０の針１１からなる。
【００５９】
このとき、開閉手段４００がキャップ１００の内部に固設され、前記キャップ１００の分離により、開閉手段４００が一緒に分離され、注射針１０を開放させる。
【００６０】
これにより、薬液の吸引時、薬液は、キャップ１００から、開放している状態の弁手段３００を経てシリンダーに吸引され、薬液の注射時、薬液は、シリンダー２０から開放した注射針１０を通じて注射される。
【００６１】
その結果、必要に応じて、迅速に薬液を吸引してから迅速に排出させることができる。
【００６２】
このような本発明に係る注射器は、薬液を吸引してから、直ちに体内に注射しない場合、例えば、食塩水を吸引してから、粉末薬剤の入った薬液容器に食塩水を注射して粉末薬剤を溶解させ、再び吸引しなければならない場合にも、便利に用いることができるという利点を有する。
【実施例２】
【００６３】
実施例２は、閉鎖型の吸引流路に対して、ユーザの回転操作により弁手段３００が吸引流路を閉鎖させる例である。
【００６４】
本発明の実施例２において、前記弁手段３００は、図５及び図６に示すように、前記吸引流路を横切って位置するが、前記吸引流路に対応して整列される通孔３２１が形成された回転ピン３２０からなり、前記吸引流路の開放状態を維持し、外部に突出した回転ピン３２０の端部に形成された回転レバー３２２を回転させることにより、前記通孔３２１が前記吸引流路から、方向の差により、前記吸引流路を閉鎖状態に切り替えさせる。
【００６５】
すなわち、本発明の実施例２は、周知の二方弁または三方弁が適用されたものである。
【００６６】
実施例２においては、実施例１と重複する説明を省略し、異なる構成についてのみ後述する。
【００６７】
実施例２でも、吸引流路の一部として、前記キャップ１００の内部に閉鎖型管路である貫通孔２００が形成されており、前記吸引流路を横切って所定の深さで回転ピン３２０が挿入されている。
【００６８】
このような回転ピン３２０は、軸中心を基準として回転自在に円形断面を有することが好ましく、この回転ピン３２０には、前記吸引流路に対応する方向に整列された通孔３２１が形成されている。
【００６９】
これとともに、前記回転ピン３２０の突出した末端には、前記回転ピン３２０を回転させるための回転レバー３２２が形成されており、ユーザが、前記回転レバー３２２を用いて、前記回転ピン３２０を回転させることができる。
【００７０】
その結果、前記回転ピン３２０の通孔３２１が、吸引流路と同一の方向に整列される場合、図５に示すように、前記吸引流路が開放した状態に維持される。
【００７１】
しかし、ユーザが、回転レバー３２２を用いて回転ピン３２０を回すと、前記回転ピン３２０に形成された通孔３２１が、前記吸引流路とは異なる方向、すなわち、略直角方向に位置することになり、このような方向の差により、図６に示すように、吸引流路を閉鎖状態に切り替えさせる。
【００７２】
その結果、初期に吸引流路を開放した状態に維持していた弁手段３００は、ユーザの回転操作により、前記吸引流路を閉鎖状態に切り替えることになる。
【００７３】
これにより、薬液を体内に注射しようとするとき、キャップ１００を分離させてから、回転レバー３２２を用いて回転ピン３２０を回転させると、注射流路は、図６に示すように、シリンダー２０→注射針１０のハブ１２→注射針１０の針１１からなる。
【００７４】
このときも、開閉手段４００がキャップ１００の内部に固設され、前記キャップ１００の分離により、開閉手段４００が一緒に分離され、注射針１０を開放させる。
【００７５】
これにより、薬液の吸引時、薬液は、キャップ１００から、開放している状態の弁手段３００を経てシリンダーに吸引され、薬液の注射時、薬液は、シリンダー２０から開放した注射針１０を通じて注射される。
【００７６】
その結果、必要に応じて、迅速に薬液を吸引してから迅速に排出させることができる。
【００７７】
実施例１に比べて、実施例２は、前記弁手段３００を閉鎖してから、再び開放させることができるという利点を有する。
【００７８】
次に、実施例３及び実施例４は、開放型の吸引流路に関するものであり、前記弁手段３００は、前記貫通孔２００が形成された中空の内部体３３０と、前記内部体３３０の外径に対応する内径を有するパイプ状の外部体３４０とからなり、前記内部体３３０の貫通孔２００から前記外部体３４０が離隔した状態で、前記吸引流路の開放状態を維持し、前記内部体３３０と前記外部体３４０の相対的な軸方向移動により、前記外部体３４０の内周面が、前記内部体３３０に形成された前記貫通孔２００を閉鎖させ、前記吸引流路を閉鎖状態に切り替えさせる。
【実施例３】
【００７９】
実施例３は、開放型の吸引流路に対して、ユーザのプッシュ操作により弁手段３００が吸引流路を閉鎖させる例である。
【００８０】
本発明の実施例３において、前記内部体３３０と前記外部体３４０は、図７乃至図９に示すように、前記内部体３３０の外周面と前記外部体３４０の内周面との間の締まりばめにより、前記吸引流路の閉鎖状態が維持される。
【００８１】
実施例３においては、実施例１または実施例２と重複する説明を省略し、異なる構成についてのみ後述する。
【００８２】
実施例３では、吸引流路の一部として、前記キャップ１００の内部と前記ハブ１２の外部との間に、開放型の吸引流路が形成されている。
【００８３】
このとき、前記ハブ１２が内部体３３０及び外部体３４０に二分されており、前記内部体３３０には、複数の貫通孔２００が円周面に沿って形成されている。
【００８４】
前記複数の貫通孔２００の直径及び個数については、薬液が円滑に流通可能なようにする。
【００８５】
また、前記内部体３３０及び外部体３４０は、それぞれ中空体からなり、内部体３３０の外周面上において、外部体３４０の内周面が摺動自在に設けられている。
【００８６】
その結果、前記内部体３３０の貫通孔２００から、前記外部体３４０が離隔した状態で、前記吸引流路の開放状態を維持することになる。
【００８７】
反対に、前記内部体３３０と前記外部体３４０の相対的な軸方向移動により、前記外部体３４０の内周面が、前記内部体３３０に形成された前記貫通孔２００を閉鎖させ、前記吸引流路を閉鎖状態に切り替えさせる。
【００８８】
このとき、前記外部体３４０には、ストッパー３４３が形成され、前記内部体３３０の下限の高さを制限することが好ましい。
【００８９】
特に、実施例３では、前記内部体３３０の外周面と前記外部体３４０の内周面を、所定の角度でテーパー付けて形成することにより、前記外部体３４０が、前記内部体３３０の貫通孔２００を閉鎖させる場合、締まりばめにより結合される。
【００９０】
上述した実施例３の変形例としては、図８におけるＡ部分の拡大図である図１０に示すように、前記内部体３３０と前記外部体３４０は、相互間に形成された一方向の係止突起３３１、３４１の弾力的な結合により、前記吸引流路の閉鎖状態が維持されることが好ましい。
【００９１】
図１０の（ａ）は、弁手段３００による貫通孔２００の開放状態を示し、図１０の（ｂ）は、弁手段３００による貫通孔２００の閉鎖状態を示す。
【００９２】
このような実施例３の変形例は、内部体３３０と外部体３４０が一方向の係止突起３３１、３４１により相互結合することにより、前記外部体３４０が前記内部体３３０の貫通孔２００を閉鎖させた状態を、さらに確実に維持することになる。
【００９３】
その結果、図１０の（ａ）に示すように、前記外部体３４０が前記内部体３３０の貫通孔２００から離隔して位置する場合、前記吸引流路が開放した状態に維持される。
【００９４】
しかし、ユーザが、キャップ１００を分離させた状態で、内部体３３０を単に押し込むと、前記内部体３３０及び前記外部体３４０にそれぞれ形成された一方向係止突起３３１、３４１が互いを弾力的に乗り越えながら、図１０の（ｂ）に示すように、前記外部体３４０が前記内部体３３０に形成された貫通孔２００を密閉させることにより、吸引流路を閉鎖状態に切り替えさせる。
【００９５】
その結果、初期に吸引流路を開放した状態に維持していた弁手段３００は、ユーザのプッシュ操作により、前記吸引流路を閉鎖状態に切り替えることになる。
【００９６】
これにより、薬液を体内に注射しようとするとき、キャップ１００を分離させてから、内部体３３０を押すと、注射流路は、図９に示すように、シリンダー２０→注射針１０のハブ１２→注射針１０の針１１からなる。
【００９７】
このときも、開閉手段４００がキャップ１００の内部に固設され、前記キャップ１００の分離により、開閉手段４００が一緒に分離され、注射針１０を開放させる。
【００９８】
これにより、薬液の吸引時、薬液は、キャップ１００から、開放している状態の弁手段３００を経てシリンダーに吸引され、薬液の注射時、薬液は、シリンダー２０から開放した注射針１０を通じて注射される。
【００９９】
その結果、必要に応じて、迅速に薬液を吸引してから迅速に排出させることができる。
【実施例４】
【０１００】
実施例４は、開放型の吸引流路に対して、ユーザの回転操作により弁手段３００が吸引流路を閉鎖させる例である。
【０１０１】
本発明の実施例４において、前記内部体３３０と前記外部体３４０は、図１１に示すように、一方向回転により、相互間に形成されたねじ山３３２、３４２の締付けにより、前記吸引流路の閉鎖状態が維持され、逆方向回転により、前記吸引流路を再び開放状態に切り替えることができる。
【０１０２】
実施例４においては、実施例３と重複する説明を省略し、異なる構成についてのみ後述する。
【０１０３】
その結果、前記外部体３４０を基準として、前記内部体３３０の貫通孔２００から離隔して位置する場合、図１１の（ａ）に示すように、前記吸引流路が開放した状態に維持される。
【０１０４】
しかし、ユーザが、キャップ１００を分離させた状態で、内部体３３０を回転させると、前記外部体３４０が前記内部体３３０に形成された貫通孔２００を密閉させることにより、図１１の（ｂ）に示すように、吸引流路を閉鎖状態に切り替えさせる。
【０１０５】
その結果、図１１の（ａ）のように、初期に吸引流路を開放した状態に維持していた弁手段３００は、ユーザの回転操作により、前記吸引流路を閉鎖状態に切り替えることになる。
【０１０６】
これにより、薬液を体内に注射しようとするとき、キャップ１００を分離させてから、外部体３４０を基準として内部体３３０を回すと、注射流路は、図１１の（ｂ）に示すように、シリンダー２０→注射針１０のハブ１２→注射針１０の針１１からなる。
【０１０７】
このときも、開閉手段４００がキャップ１００の内部に固設され、前記キャップ１００の分離により、開閉手段４００が一緒に分離され、注射針１０を開放させる。
【０１０８】
これにより、薬液の吸引時、薬液は、キャップ１００から、開放している状態の弁手段３００を経てシリンダーに吸引され、薬液の注射時、シリンダー２０から開放した注射針１０を通じて薬液が注射される。
【０１０９】
その結果、必要に応じて、迅速に薬液を吸引してから迅速に排出させることができる。
【０１１０】
実施例３に比べて、実施例４は、回転方向により、前記弁手段３００を閉鎖してから、再び開放させることができるという利点を有する。
【０１１１】
上記では、このような弁手段３００がハブ１２内に位置するものを例示して説明したが、このような弁手段３００は、注射針１０をシリンダー２０に結合するための別途のコネクターまたはシリンダー２０の内部に位置してもよい。
【０１１２】
また、貫通孔２００が注射針１０のハブ１２に形成されたものを例示し、ハブ１２が内部体３３０と外部体３４０に二分されたものと説明したが、図示しなかった別途のコネクターに貫通孔を形成し、またはコネクターが内部体及び外部体に二分して形成することも勿論可能であろう。
【０１１３】
すなわち、本発明において、貫通孔２００及び弁手段３００の位置は限定されない。
【０１１４】
この場合、前記キャップ１００と前記シリンダー２０との間には、流路を形成するための別途の構成が加えられてもよい。
【０１１５】
例えば、分岐管をキャップハブ１２０やシリンダー２０に一体で形成した後、柔らかな素材の可撓性チューブで相互連結してもよく、所定の傾斜角を維持するように構成してもよく、相互選択的に連結または分離することができる周知の構成が可能である。
【０１１６】
但し、互いの連結を分離する構造では、弁手段３００がシリンダー２０側に連結された状態を維持しなければ、薬液が漏れてしまう恐れがある。
【０１１７】
このとき、このようなコネクターをキャップハブ１２０やシリンダー２０に一体で形成してもよく、弁手段３００を、このようなコネクター内に内装してもよく、その変更適用に制限がない。
【０１１８】
また、本発明において、副次的には、前記キャップ１００は、前記開閉手段４００を収容し、前記開閉手段４００の外周と前記キャップ１００の内周との間の空間に吸引流路の一部が形成され、前記注射針１０の針１１とハブ１２を互いに固定させる接着材料１３は、前記開閉手段４００内に収容され、薬液から隔離され、前記吸引流路には、薬液から異物をろ過するためのフィルター５００がさらに設けられることが好ましい。
【０１１９】
すなわち、薬液に含まれた異物をろ過するためのフィルター５００を、図１２に示すように、前記開閉手段４００のフランジ４２０に加えてもよい。
【０１２０】
このようなフィルター５００は、注射流路に該当せず、ただ吸引流路にのみ該当するので、薬液の吸引時、薬液に含まれているアンプルのガラス片等の異物をろ過させてから、開閉手段４００と一緒に廃棄され、このようなフィルター５００によりろ過された異物が再び注射されることがない。
【０１２１】
これに加えて、本発明において、図１２に示すように、前記開閉手段４００は、前記ハブ１２に締まりばめされ、またはねじ山４１２により締め付けられることが好ましい。
【０１２２】
これは、上述したように、例えば、食塩水を吸引してから、粉末薬剤が入った薬液容器に食塩水を注射して粉末薬剤を溶解させ、再び吸引しなければならない場合、予期せずに開閉手段４００がハブ１２から分離されることを防止するためのものである。
【０１２３】
これとともに、前記開閉手段４００の内周面には、図１２に例示すように、傾斜面４１１が形成され、前記注射針１０の進入を誘導することが好ましく、これにより、開閉手段４００を注射針１０に被せるとき、前記傾斜面４１１が注射針１０の尖端を案内する。
【０１２４】
したがって、本発明に係る注射器は、注射針１０を経ないようにキャップ１００を含む吸引流路をさらに形成し、注射針１０を一時的に閉鎖させる開閉手段４００を付加することにより、既存のように、薬液の吸引を注射針１０に限定するものではないので、さらに小さな力で円滑に行うことができるという大きな利点を有する。
【０１２５】
また、このような吸引流路の途中に形成された弁手段３００を、ユーザのプッシュ操作または回転操作により、容易に強制閉鎖させるようにすることで、万が一にもあり得る注射時の薬液の流出を予防することができる。
【０１２６】
上述した実施例は、本発明の技術的思想を具体的に説明するための一例であり、本発明の範囲は、上記した図面や実施例に限定されるものではない。
【符号の説明】
【０１２７】
１０    注射針
１１    針
１２    ハブ
１３    接着材料
２０    シリンダー
３０    プランジャー
１００  キャップ
１１０  吸引針
１２０  キャップハブ
２００  貫通孔
３００  弁手段
３１０  ピン
３１１、３２１  通孔
３２０  回転ピン
３２２  回転レバー
３３０  内部体
３４０  外部体
３３１、３４１  一方向の係止突起
３３２，３４２  ねじ山
４００  開閉手段
４１０  気密空間
４１１  傾斜面
４１２  ねじ山
４２０  フランジ
５００  フィルター
【図１】
2019503243.tif 000003
【図２】
2019503243.tif 000004
【図３】
2019503243.tif 000005
【図４】
2019503243.tif 000006
【図５】
2019503243.tif 000007
【図６】
2019503243.tif 000008
【図７】
2019503243.tif 000009
【図８】
2019503243.tif 000010
【図９】
2019503243.tif 000011
【図１０】
2019503243.tif 000012
【図１１】
2019503243.tif 000013
【図１２】
2019503243.tif 000014
【国際調査報告】
2019503243.tif 000015
2019503243.tif 000016
2019503243.tif 000017
2019503243.tif 000018